(57)【要約】      （修正有）【課題】脱線した車両をジャッキアップする際にジャッキを支持する平坦水平面を創出でき、しかも砕石による破断が生じにくく、また軽量で持ち運びに便利なマットを提供する。【解決手段】流動性のある粉粒体と、粉粒体が充填されかつ粉粒体の流動によって形状が変化する袋とからなり、袋はジャッキ６が車体７を押し上げた場合の荷重によって破断の生じない強度に構成されるとともに、バラストＢの凹部に対応する箇所に粉粒体が移動して凹部に対応する箇所の厚さが厚くなり、かつ、バラストＢの凸部に対応する箇所から粉粒体が移動して凸部に対応する箇所の厚さが薄くなることにより上面が平坦化するように構成されているマット１。【選択図】図３
2020153220.tif 000002
【特許請求の範囲】
【請求項１】
脱線した車両を押し上げるジャッキと前記車両が走行するレールが設置されている砕石からなるバラストとの間に挿入されるマットであって、
流動性のある粉粒体と、前記粉粒体が充填されかつ前記粉粒体の流動によって形状が変化する袋とからなり、
前記袋は、前記ジャッキが前記車両を押し上げた場合の荷重によって破断の生じない強度に構成されるとともに、前記バラストの凹部に対応する箇所に前記粉粒体が移動して前記凹部に対応する箇所の厚さが厚くなりかつ前記バラストの凸部に対応する箇所から前記粉粒体が移動して前記凸部に対応する箇所の厚さが薄くなることにより上面が平坦化するように構成されていることを特徴とする脱線した車両の復旧作業用マット。
【請求項２】
請求項１に記載の脱線した車両の復旧作業用マットにおいて、
前記袋は、パラ系アラミド樹脂製繊維もしくは高強度ポリエチレン製繊維から構成されていることを特徴とする脱線した車両の復旧作業用マット。
【請求項３】
請求項１または２に記載の脱線した車両の復旧作業用マットにおいて、
前記袋は、防水被膜もしくは撥水被膜を備えていることを特徴とする脱線した車両の復旧作業用マット。
【請求項４】
請求項１ないし３のいずれか一項に記載の脱線した車両の復旧作業用マットにおいて、
前記粉粒体は、軽量砂とパーライトと火山灰との少なくともいずれか一種もしくは二種以上の混合体と、合成樹脂ペレットとの少なくともいずれか一方から構成されていることを特徴とする脱線した車両の復旧作業用マット。
【請求項５】
請求項１ないし４のいずれか一項に記載の脱線した車両の復旧作業用マットにおいて、
前記袋のうち前記バラストの上面に対向する下面側にゴムシートが設けられていることを特徴とする脱線した車両の復旧作業用マット。
【発明の詳細な説明】
【技術分野】
【０００１】
本発明は、マルチプルタイタンパをはじめとする各種の重量級保線作業車が脱線した場合に、その保線作業車をジャッキアップしてレール上に戻す復旧作業に使用するマットに関するものである。
【背景技術】
【０００２】
鉄道線路の保守作業、たとえば道床のつき固め、軌条の通り整正などにはマルチプルタイタンパ（マルタイ）など各種の保線作業車が使用される。これらの車両は単に走行するだけでなくさまざまな作業を行なうための機器を装備しており、いずれもかなりの重量を有する。一方、この種の保線作業車は、通常の営業用の車両に比較すると、雪や土砂に埋もれているなどの正常ではない線路に進入しなければならない事例が多いため、脱線の確率が高いのが実情であり、そのため脱線を想定した復旧訓練などもしばしば行なわれているのが現状である。
【０００３】
脱線復旧にはジャッキ等で車両を持ち上げ、レール上に戻すことが必要であり、保線作業車はそういう事態に備えてアウトリガーやジャッキをあらかじめ装備しているものも多い。また、脱線した保線作業車をジャッキアップするために通常のジャッキを使用する場合ももちろんある。いずれにしてもこれらのジャッキを線路脇の道床部分に突き立てて作業を行なうことになる。そのジャッキを設置する箇所が砂利や砕石などで構成されている場合には道床（バラスト）の上面が平らではなく、いわゆる不陸状態であり、ジャッキを安定して立てることが困難である。そのため、従来、バラストの表面を熊手やスコップ等でできるだけ水平にならし、その上に挿入スペースの高さに合わせて木材等のスペーサ（保線現場ではパッキンともいう）を積み重ねてからジャッキを作動させる作業方法が採られている。
【発明の概要】
【発明が解決しようとする課題】
【０００４】
砕石の凹凸面を丁寧にならす作業にはかなりの労力と時間を要するから、これに替えて砂や土を砕石同士の間やくぼみに充填して表面を水平にすることも考えられる。しかしながら、事後的に土砂を取り除くことを考慮すると強固に突き固めることはできないので、土砂の部分にはほとんど支持力が発生しないのが実情であって、ジャッキを安定して支持する点であまり効果が見られないばかりか、作業後に土砂を完全に除去しないと後日雑草が生えるなどの弊害を生じる。
【０００５】
通常の布袋や麻袋に砂や土を詰めて砕石の上に敷く方法も考えられるが、このような方法では、一時的には効果が認められるものの、詰めるものによってかなりの重量となり、作業者に負担がかかる。また、麻袋や通常の布袋では砕石のとがった部分によってすぐに破れが発生し、繰り返しの使用ができないなどの問題点があった。
【０００６】
本発明は、軽量で持ち運びが容易であり、かつバラストを形成している砕石等のとがった部分によっても破れが生じ難く、したがって脱線復旧作業の効率化を図り、また繰り返し使用できるマットを提供することを目的としている。
【課題を解決するための手段】
【０００７】
本発明は、上記の目的を達成するために、脱線した車両を押し上げるジャッキと前記車両が走行するレールが設置されている砕石からなるバラストとの間に挿入されるマットであって、流動性のある粉粒体と、前記粉粒体が充填されかつ前記粉粒体の流動によって形状が変化する袋とからなり、前記袋は、前記ジャッキが前記車両を押し上げた場合の荷重によって破断の生じない強度に構成されるとともに、前記バラストの凹部に対応する箇所に前記粉粒体が移動して前記凹部に対応する箇所の厚さが厚くなりかつ前記バラストの凸部に対応する箇所から前記粉粒体が移動して前記凸部に対応する箇所の厚さが薄くなることにより上面が平坦化するように構成されていることを特徴とする脱線した車両の復旧作業用マットである。
【０００８】
本発明においては、前記袋は、パラ系アラミド樹脂製繊維もしくは高強度ポリエチレン製繊維から構成されていてよい。
【０００９】
本発明においては、前記袋は、防水被膜もしくは撥水被膜を備えていてよい。
【００１０】
本発明においては、前記粉粒体は、軽量砂とパーライトと火山灰の少なくともいずれか一種もしくは二種以上の混合体と、合成樹脂ペレットとの少なくともいずれか一方から構成されていてよい。
【００１１】
そして、本発明では、前記袋のうち前記バラストの上面に対向する下面側にゴムシートが設けられ、前記粉粒体は、前記ゴムシートに対して隔離された状態で前記袋に充填されていてよい。
【発明の効果】
【００１２】
本発明によるマットは、脱線した車両をレール上に復旧させる際に、その車両の近辺のバラスト上に置かれる。バラストは砕石によって形成されているから、その表面は平坦ではなく、また傾斜している場合が多く、さらにはレールを固定しているボルトの頭部が突き出ている場合もある。本発明に係るマットは、流動性のある粉粒体を袋に充填して構成されているから、砕石やボルトなどによるバラスト表面の凹凸に倣って変形する。その状態でマットの表面を手作業などによって平坦に均す。粉粒体自体が流動性を有し、また袋は粉粒体に合わせて形状が変化するから、バラストの凸部に相当する箇所にある粉粒体は、バラストの凹部に相当する箇所に移動し、当該凹部を埋める。その結果、マットの下面は、バラストの表面に沿って凹凸になっているが、表面（上面）は平坦に近くなる。また、バラスト表面が傾斜している場合に、袋の内部の粉粒体を、バラストの低い側に移動させ、こうすることによりマットの表面が水平に近い状態になる。ついで、マットの上に木製の角材などのスペーサもしくはパッキンを載せ、その上にジャッキ等の押し上げ装置を立てる。マットの表面がほぼ水平になっているので、ジャッキ等の押し上げ装置は、ほぼ鉛直線に沿って起立し、脱線した車両を押し上げる際の荷重が押し上げ装置にまっすぐ（鉛直方向に沿って）掛かる。その結果、ジャッキ等の押し上げ装置が不安定になるなどの事態を回避できる。
【００１３】
ジャッキ等の押し上げ装置で車両を押し上げた場合、マットには大きい荷重が掛かり、これに対してバラストの表面は砕石などによって凹凸になっているが、袋が高強度に構成されているから、砕石の角などが当たっていても、内部の粉粒体が多量に流れ出すなどの袋の破断が生じることが回避される。また、マットには圧縮荷重が掛かり、これに対して粉粒体が流動性を有しているから、マットには横方向に膨らむ荷重が作用するが、袋が上述したように高強度であることにより、膨張による破断（内部の粉粒体が多量に流れ出すなどの袋の破断）が生じることが回避される。
【００１４】
車両をレール上に移動させて復旧作業が終了した場合には、ジャッキ等の押し上げ装置およびスペーサもしくはパッキンを取り除いて回収し、併せてマットを回収する。したがって、砂などの粉粒体がバラストに残ったり、砕石同士の間隙に詰まったりする事態を回避できる。そして、砂などの粉粒体は袋に充填した状態で、すなわちマットとして搬送や設置などを行うことができるので、本発明によれば、バラストの表面を均すなどの作業を省略できることと併せて、マット（粉粒体）の取り扱いが容易になり、ひいては脱線した車両の復旧作業を容易かつ迅速化あるいは高効率化することができる。
【００１５】
また、本発明では、粉粒体として合成樹脂ペレットを使用した場合、車両の押し上げに伴う荷重によって粉粒体が変形するとしても、粉粒体が破砕したり摩耗したりして細かい粉になることが殆どない。したがって、粉粒体の粉が袋から漏れ出て作業環境を悪化させるなどの事態を未然に回避もしくは抑制することができる。
【００１６】
さらに、本発明では、バラストの表面に向き合う下面側にゴムシートが配置されているから、車両を押し上げることに伴う荷重がゴムシートによって分散され、したがってバラストが軟弱で沈み込みやすい場合であっても押し上げ装置が載っている箇所のみが極端に沈み込むことが回避もしくは緩和される。そのため、マットの沈み込み箇所の周辺における曲げや引っ張りが、ゴムシートを用いない場合に比較して小さくなり、その結果、袋の破断や亀裂を抑制してマットの全体としての耐久性を向上させることができる。
【図面の簡単な説明】
【００１７】
【図１】本発明に係るマットを一部切り欠いて示す斜視図である。
【図２】そのマットをバラストの上面において均した状態を示す側面図である。
【図３】そのマットを使用して保線作業車をジャッキアップしている状況を示す説明図である。
【図４】本発明の他の例を模式的に示す断面図である。
【発明を実施するための形態】
【００１８】
本発明の一実施例であるマット１を図１に示す。ここに示すマット１は、脱線した車両（例えば保線作業車）を持ち上げるためのジャッキを設置する水平平坦面を創り出すためのものであって、袋２の内部に流動性のある粉粒体３を充填して構成されている。マット１の輪郭形状は、円形や矩形あるいは方形など必要に応じて適宜の形状であってよい。製造性や取り扱いもしくは保管の容易性などを考慮すると、矩形もしくは方形であることが好ましい。また、大きさは、要は、ジャッキやその下側に介在させるスペーサ（もしくはパッキン）の底面より幾分大きければよく、一例として縦横それぞれが３００ｍｍ程度（３００ｍｍ×３００ｍｍ程度）であればよい。また、マット１の厚さは、５０ｍｍ〜１００ｍｍ程度であってよい。ここで、「厚さ」とは、マット１を水平において、内部の粉粒体３を均等に均した状態で測った高さ方向の寸法の最大値もしくは平均値である。言い換えれば、水平に置いた状態での厚さが上記の寸法になる程度の量の粉粒体３が袋２の内部に充填されている。
【００１９】
マット１は、脱線した車両を押し上げることに伴う圧縮荷重を受けるだけでなく、砕石やレールを固定しているボルトの頭部などの尖った角に押し付けられることによる剪断荷重や、袋２が膨張しようとすることによる引っ張り荷重を受ける。袋２は、このような荷重を受けても破断しない高強度に構成されている。ここで「破断」とは、内部の粉粒体３が多量に流れ出す程度の開口部が生じることであり、袋２を構成している繊維の数本が切れたり、内部の粉粒体３が僅かにこぼれ出る穴が開く程度の損傷は含まない意味である。また、袋２はマット１の重量を決める要因の一つであるから、強度を損なわない範囲で可及的に軽量であることが好ましい。したがって、袋２は高強度繊維によって形成されており、この種の繊維の例は、ケブラー（登録商標）等のパラ系アラミド樹脂製繊維（芳香族ポリアミド系樹脂繊維）やイザナス（登録商標）等の高強度ポリエチレン製繊維である。これらの繊維は、同じ重量の鋼線の５倍以上の引張り強さを有し、スーパー繊維とも呼ばれ、ＦＲＰ構造体の補強材としても使用される。またスーパー繊維で作られた布はとがった刃物などに対しても耐力があり、「耐刃防護生地」（セーフティクロス）として知られている。また、袋２を構成する繊維は、弾性を有していることが好ましい。マット１に大きい荷重が作用した場合に、周囲の形状に倣うようにある程度の変形を生じさせて局部的に大きい荷重が作用したり、そのために破断したりすることを抑制するためである。また、袋２はそのようなわずかな変形を許容するように繊維を編んだものであることが好ましい。
【００２０】
なお、袋２には、内部の粉粒体３が布目から漏れ出さないように、布の表面に適宜の塗料による塗装を施すことが好ましい。また、粉粒体３の流動性を確保し、また重量が増大することを回避するために、防水被膜もしくは撥水被膜を袋２の表面に塗装などによって形成しておくことが好ましい。
【００２１】
袋２に充填される粉粒体３について説明すると、粉粒体３は袋２の内部に閉じ込められて広い面積で荷重を受けた場合、粒子同士が強く接触し、あるいは噛み合って形状を維持することにより、荷重を支える作用をなし、また荷重もしくは外力が小さくかつ局部的に作用する場合には流動して全体として形状を変化させる作用をなすものである。したがって、そのような流動が可能になるように、袋２に対する充填量が前述したように設定されている。また、粉粒体３の粒径は、流動性を損なわずに、かつ充分な荷重支持作用を生じる粒径に設定されており、一例としては平均粒径が０．５ｍｍ〜１．３ｍｍ程度、嵩比重が０．１５〜０．２１（平均値は０．１８）程度である。
【００２２】
この種の粉粒体３は、川砂や海砂であってもよいが、現場での取り扱いを容易にするために比重の小さい粉粒体３を採用することが好ましい。軽量の粉粒体３の例は、いわゆる軽量砂や園芸用などに市販されている「パーライト」や粒状の軽石や火山灰などである。いずれも流動性がよく、そのためにさまざまな周囲の形状に馴染みやすいこと、軽いことなどの特長がある。
【００２３】
パーライトはガラス質の火山岩を焼成、膨張させた粒状の砂利で、化学成分は非晶質アルミナ珪酸塩石英である。きわめて軽量で真比重は２．３程度、嵩比重は０．１〜０．５程度である。人体や環境に対する毒性もないから、取り扱ったり、こぼれたりしても安全である。また、火山灰は、圧縮すると一時的に固化する性質があるため、本発明における粉粒体３として好ましい。
【００２４】
また、本発明における粉粒体３は合成樹脂製のものであってもよい。例えば、合成樹脂製品の射出成形の原料として使用される合成樹脂ペレットを粉粒体３として使用することができる。この種の粉粒体３は、例えば、ポリプロピレンと炭酸カルシウムとを体積比で９４：６の割合で混合した粒径が３ｍｍ程度の粉粒体３であってよい。
【００２５】
本発明に係るマットは、一例として、パラ系アラミド繊維製で縦横３００ｍｍ×３００ｍｍ程度の座布団状の布袋に厚さ３０ｍｍ程度にパーライトを詰めたものであって、その重量は約３ｋｇであり、脱線現場での作業を迅速化し、また作業者の負担の軽減に充分資することができる。
【００２６】
図２および図３を参照して上記のマット１の使用方法および作用を説明する。袋２に対する粉粒体３の充填率は１００％より大幅に少ないから、例えば図１に示す把手４を持って吊り下げた場合、粉粒体３は袋２の底部にたまった状態になる。このように吊り下げた状態では、マット１は棒状に丸まった形状であり、平坦面はない。ここで、充填率は、袋２を最大限膨らませた状態における袋２の容積に対する粉粒体３の体積の割合である。実用上の一例を挙げれば、充填率は６０％〜８０％程度である。
【００２７】
マット１を砕石のバラストＢの上面に置くと、袋２の底部にたまっていた粉粒体３による山が崩れて、バラストＢの上面に倣うように粉粒体３が流れる。粉粒体３は飽くまでも個体の集まりであるから、元の山の部分に多く集まった状態になっている。これを均すように、マット１の表面を水平方向に手もしくは棒などでなでると、粉粒体３はその流動性のために、袋２の内部で移動する。図２に粉粒体３を均した状態を模式的に示してあり、バラストＢの上面における凸部に対応する部分の粉粒体３は当該凸部に対応する部分から水平方向（なでる方向）に移動させられてその部分のマット１の厚さが薄くなり、また凹部に対応する部分では、その凹部に粉粒体３が入り込むように粉粒体３が移動して当該凹部に対応する部分でのマット１の厚さが厚くなる。その結果、マット１の下面はバラストＢの上面に倣った凹凸面になるのに対して、マット１の上面は平坦化される。すなわち、粉粒体３を水平に均すことにより水平平坦面をバラストＢの上面に創出できる。なお、バラストＢの上面が傾斜している場合には、傾斜方向での下側に粉粒体３が多く移動させられるので、マット１の上面を水平に近い平坦面とすることができる。
【００２８】
ジャッキ（押し上げ装置）を設置する複数箇所（例えば４箇所）のそれぞれにマット１を上記のように配置し、図３に示すように、その上に１枚目のスペーサ５を置いて水平であることを確かめる。スペーサ５は、マット１における荷重を受ける面積（受圧面積）を広くするために設けた木製平板状のブロックである。水平でなかった場合はマット１の表面を均して水平にする。袋２の中の粉粒体３の流動性がよいので、容易に水平に均すことができる。さらに、ジャッキ６を伸ばした場合に車体７がレールＲの上面より高く持ち上がるように、スペーサ５を必要枚数追加し、その上にジャッキ６の下面を突き当てる。したがって、ジャッキ６は水平面の上に設置されることになるので、鉛直方向に起立している。
【００２９】
その状態でジャッキ６に油圧などの圧力流体を供給してそのロッドを伸ばすことにより、車体７が持ち上げられる。その場合、マット１が沈むように変形することがあるが、袋２の内部の粉粒体３は荷重に応じてわずかに移動するから、スペーサ５やジャッキ６は水平を維持したまま沈む。すなわち、車体７を持ち上げる（押し上げる）ことによる荷重は、ジャッキ６やスペーサ５に対して鉛直方向に作用し、したがってジャッキ６はマット１によって安定して保持される。
【００３０】
脱線した車両の車輪８がレールＲの上面より所定寸法ｈ、浮くように車体７をジャッキアップした後、必要に応じて水平方向に車両を移動させてレールＲの上に降ろせば、脱線した保線作業車の復旧作業は完了する。脱線復旧作業を３０分以内に終了することを目標としている場合、本発明に係る上記のマット１を使用すれば、軽量であることによりその搬送が容易であるだけでなく、バラストＢ上においてその上面を水平に平らにすることは容易で迅速に行うことができるから、充分に目標を達成できる。なお、図３で符号Ｓは枕木を示す。
【００３１】
車両をレールＲ上に移動させて復旧作業を完了した後、ジャッキ６およびスペーサ５をマット１の上から取り除いて回収し、併せてマット１を回収する。マット１の袋２は、前述したように、車両のジャッキアップに伴う荷重を受けても破断しない強度に構成されているから、袋２を把手４によって引き上げるだけで、その内部の粉粒体３ごと持ち上げて回収することができる。そのため、本発明に係る上記のマット１によれば、砂などの粉粒体３が砕石の間に入り込んでしまったり、その粉粒体３を回収する作業が必要になったり、さらには砕石の間に残存した砂から雑草が生えたりすることを未然に回避することができる。結局、脱線復旧作業を迅速化、高効率化することができる。また、粉粒体３は使い捨てではなく、マット１として再度使用できる。
【００３２】
上述したように脱線した車両を押し上げた場合、その荷重が粉粒体３に掛かり、粉粒体３は圧縮されるだけでなく、粒子同士が擦れ合って流動する。その場合、合成樹脂ペレットを主体として粉粒体３が構成されていれば、粉粒体３の粒子が変形することがあっても、粉々に破砕することが殆どない。したがって、粉粒体３をこのような合成樹脂製とすることにより、粉粒体３が粉になって袋２から漏れ出たり、そのために作業環境が悪化したりすることを回避もしくは抑制することができる。
【００３３】
上記の図２や図３に示す例は、バラストＢが十分な強度を有している場合の例であるが、地盤の突き固めが不足しているなどのことによって、バラストＢの耐圧強度が部分的に不足し、その上にマット１やジャッキ６をおいて車両の押し上げ作業を行う場合、まっと１がバラストＢと共に沈み込むことがある。このような事態に備えて、ゴムシートを備えた構成とすることが好ましい。そのゴムシートは、マット１の一部がバラストＢと共に沈み込むこと、もしくはその際に応力が集中することを防止もしくは抑制するためのものであり、マット１の下側すなわちバラストＢと対向する下面側に設けることが好ましい。このゴムシートは、粉粒体３と一緒に袋２の内部に配置してもよいが、そのゴムシートとバラストＢとの間に粉粒体３が入り込まないようにするために、ゴムシートと粉粒体３とは袋３の中で離隔した構成とすることが好ましい。その例を図４に模式的な断面図で示してある。
【００３４】
図４に示す例では、袋２の内部に仕切り板９が挿入されていて、この仕切り板９によって袋２の内部が二室に区分されている。仕切り板９は、袋２の内部を二室に区分するためのものであるから、荷重を受けて容易に変形し、また復元する柔軟な素材で構成されており、袋２と同様の布であってもよい。したがって仕切り板９は袋２とほぼ同様の輪郭を有し、その全周の全体が袋２に縫い合わされている。袋２の内部で仕切り板９によって区画された空室のうち使用時に上側となる上室には、合成樹脂製ペレットなどの粉粒体３が充填されている。その粉粒体３は前述したとおりであってよい。
【００３５】
これに対して、袋２の内部で仕切り板９によって区画された空室のうち使用時に下側（バラストＢの上面と対向する下側）となる下室にゴムシート１０が配置されている。すなわち、粉粒体３とゴムシート１０とは、互いに隔離された状態で袋２の内部に収容されている。ゴムシート１０は、下室の内部に収容可能でかつ合成ゴムからなる可及的に大型の板材であり、ジャッキ６で車両を押し上げた際の荷重で破断せずに弾性変形する厚さあるいは強度のものが採用されている。より具体的には厚さが数ｍｍ程度のシート材である。図４に示す例における他の構成は、図１や図２に示す例の構成と同様であってよい。なお、本発明では、上記の仕切り板９を設けずに、粉粒体３とゴムシート１０とを二段に分けて袋２の中に収容した構成であってもよい。また、本発明では、ゴムシート１０を袋２に入れずに、布などの保護材で覆った状態で袋２の下面側に取り付けてもよい。
【００３６】
図４に示すように構成したマット１であっても、図３に示すように、バラストＢの上に敷くとともに、その上にスペーサ５を介してジャッキ６を置き、脱線した車両の車体７をそのジャッキ６によって押し上げる。その場合にバラストＢが荷重に耐えられずに沈み込むと、スペーサ５を置いてあるマット１の中央部が沈み込むが、マット１の底面に掛かる荷重が上述したゴムシート１０によって分散するために、マット１の沈み込みが抑制されるとともに、下側の窪んだ箇所の周縁部におけるコーナーの曲率が小さくなる。そのため、袋２における当該コーナーの付近の布地に掛かる引っ張り力や剪断力が緩和される。言い換えれば、ゴムシート１０を下面側に設けたことにより、袋２の破断が生じにくくなり、袋２あるいはマット１の耐久性が向上する。
【００３７】
なお、本発明は上述した具体例に限定されないのであって、袋２に充填する粉粒体３は一種類である必要はなく、上述した粉粒体３の二種類もしくはそれ以上の粉粒体を混ぜた混合体としてもよい。また、袋２は単一の袋に替えて、同種もしくは異種の袋を二重もしくはそれ以上に重ねた構造としてもよい。
【符号の説明】
【００３８】
１…マット、  ２…袋、  ３…粉粒体、  ４…把手、  ５…スペーサ、  ６…ジャッキ、  ７…（保線作業車の）車体、  ８…車輪、  ９…仕切り板、  １０…ゴムシート、  Ｂ…バラスト、  Ｒ…レール、  Ｓ…枕木。
【図１】
2020153220.tif 000003
【図２】
2020153220.tif 000004
【図３】
2020153220.tif 000005
【図４】
2020153220.tif 000006